(57)【要約】【課題】横長の密閉型ケースにおいて、横置きで絶縁性充填材を注入して、安定的に硬化状態まで保管でき、かつ充填材を少なくすることが可能である放電灯点灯装置及び照明器具を提供する。【解決手段】断面略コ字状であって、上面及び両側面が開放した横長のケース本体２と、ケース本体２上面を閉塞する蓋体３と、ケース本体２両側面を閉塞する端版４とからケース５を構成した放電灯点灯装置１において、ケース５内に設けられた支持部２ｅと、支持部２ｅに支持され、点灯回路部品６ａを実装したプリント基板６と、ケース５内に充填された絶縁性の充填材７とを具備し、充填材７は、プリント基板６を含み、実装された点灯回路部品６ａを覆った放電灯点灯装置である。【選択図】図２
2008108683.tif 000002
【特許請求の範囲】
【請求項１】
断面略コ字状であって、上面及び両側面が開放した横長のケース本体と、ケース本体上面を閉塞する蓋体と、ケース本体両側面を閉塞する端板とからケースを構成した放電灯点灯装置において、
ケース内に設けられた支持部と；
支持部に支持され、点灯回路部品を実装したプリント基板と；
ケース内に充填された絶縁性の充填材と；
を具備し、充填材は、プリント基板を含み、実装された点灯回路部品を覆ったことを特徴とする放電灯点灯装置。
【請求項２】
点灯回路部品は、防爆弁を有する電解コンデンサを備え、充填材は、プリント基板を含み、実装された点灯回路部品のうち、電解コンデンサの少なくとも防爆弁に対応する空間を残して覆ったことを特徴とする請求項1に記載の放電灯点灯装置。
【請求項３】
ケース本体の両立上がり壁の上端は、プリント基板に実装された点灯回路部品のうち、最も背の高い回路部品の高さよりも高くなるように構成されていることを特徴とする請求項１又は請求項２に記載の放電灯点灯装置。
【請求項４】
充填材がプリント基板下方に流れ込む充填材通過手段が形成されていることを特徴とする請求項１乃至請求項３のいずれか一に記載の放電灯点灯装置。
【請求項５】
ケース内には、プリント基板下方とケース本体との間を区画する仕切体が設けられていることを特徴とする請求項１乃至請求項４のいずれか一に記載の放電灯点灯装置。
【請求項６】
ケース内には、プリント基板に実装された点灯回路部品の上方と、ケース本体を閉塞する蓋体との間を区画する仕切体が設けられていることを特徴とする請求項１乃至請求項５のいずれか一に記載の放電灯点灯装置。
【請求項７】
充填材は、複数種の充填材により、ケース内に複数の充填層を形成したことを特徴とする請求項１乃至請求項６いずれか一に記載の放電灯点灯装置。
【請求項８】
請求項１乃至請求項７いずれか一に記載の放電灯点灯装置と；
放電灯点灯装置により点灯される放電ランプと；
放電ランプが配設された器具本体と；
を具備したことを特徴とする照明器具。
【発明の詳細な説明】
【技術分野】
【０００１】
本発明は、放電灯点灯装置及びこの放電灯点灯装置を用いる照明器具に関する。
【背景技術】
【０００２】
近年、高圧ナトリウムランプやメタルハライドランプ等の高圧放電ランプ、蛍光ランプ等の低圧放電ランプを点灯する点灯装置は、半導体素子等の電子部品によって構成されたインバータ式電子安定器が使用されている。これら点灯装置は、屋外に設置されることもあり、雨や雪又は梅雨期等の環境下では高湿気にさらされるので、点灯回路部品を収納するケースを密閉型に構成している。
【０００３】
これに対し、安定器の温度上昇の低減を目的として、有底状金属ケース内に樹脂の絶縁性充填物を充填する放電灯安定器がある（特許文献１参照）。これは、安定器の組立てにおいて、有底状金属ケースを立設し、ケース開口部から安定器本体を挿入するとともに、絶縁性充填物を注入するものである。
【０００４】
一方、高圧放電灯の点灯装置を構成するプリント基板を照明器具のケース内に固定する際に、充填材を用いて固定するものがある（特許文献２参照）。
【特許文献１】特開２０００−１１７４６号公報
【特許文献２】特開２００３−１６８３１８号公報
【発明の開示】
【発明が解決しようとする課題】
【０００５】
しかしながら、特許文献１に示されたものでは、ケースを立設し、すなわち、縦置きにして樹脂の絶縁性充填物を注入する。その後、通常、樹脂が硬化し、安定するまでに約１日〜２日間要するので、樹脂がケースから流出するのを防止するため、樹脂が硬化するまでケースを傾けないで縦置きのままの状態で保管することが必要となる。
【０００６】
したがって、この場合、保管の安定性が問題となる。また、ケース縦置きの状態で充填物を注入する関係で、安定器本体が隠れる相当レベルまで充填物を注入しなければならない。
【０００７】
次に、特許文献２に示されたものは、ケースにプリント基板を固定するために充填材を用いたものであり、また、基本的に点灯装置をケースに密閉する目的もない。
【０００８】
本発明は、横長の密閉型ケースにおいて、横置きで絶縁性充填材を注入して、安定的に硬化状態まで保管でき、かつ充填材を少なくすることが可能である放電灯点灯装置及び照明器具を提供することを目的とする。
【課題を解決するための手段】
【０００９】
請求項１に記載の放電灯点灯装置の発明は、断面略コ字状であって、上面及び両側面が開放した横長のケース本体と、ケース本体上面を閉塞する蓋体と、ケース本体両側面を閉塞する端板とからケースを構成した放電灯点灯装置において、ケース内に設けられた支持部と、支持部に支持され、点灯回路部品を実装したプリント基板と、ケース内に充填された絶縁性の充填材とを具備し、充填材は、プリント基板を含み、実装された点灯回路部品を覆ったことを特徴とする。
【００１０】
充填材で点灯回路部品を覆ったとは、点灯回路部品全てを覆う場合及び例えば、部品の上部一部を残して覆う場合、つまり、上部一部は覆わない場合を含むものである。
【００１１】
請求項２に記載の放電灯点灯装置は、請求項１に記載の放電灯点灯装置において、点灯回路部品は、防爆弁を有する電解コンデンサを備え、充填材は、プリント基板を含み、実装された点灯回路部品のうち、電解コンデンサの少なくとも防爆弁に対応する空間を残して覆ったことを特徴とする。
【００１２】
請求項３に記載の放電灯点灯装置は、請求項１又は請求項２に記載の放電灯点灯装置において、ケース本体の両立上がり壁の上端は、プリント基板に実装された点灯回路部品のうち、最も背の高い回路部品の高さよりも高くなるように構成されていることを特徴とする。
【００１３】
請求項４に記載の放電灯点灯装置は、請求項１乃至請求項３に記載の放電灯点灯装置において、充填材がプリント基板下方に流れ込む充填材通過手段が形成されていることを特徴とする。
【００１４】
充填材通過手段は、プリント基板に貫通孔を形成する場合やケースとプリント基板の間に隙間を形成する場合が含まれる。要するに、充填材がプリント基板下方に流れ込む手段が形成されていればよい。
【００１５】
請求項５に記載の放電灯点灯装置は、請求項１乃至請求項４に記載の放電灯点灯装置において、ケース内には、プリント基板下方とケース本体との間を区画する仕切体が設けられていることを特徴とする。
【００１６】
請求項６に記載の放電灯点灯装置は、請求項１乃至請求項５のいずれか一に記載の放電灯点灯装置において、ケース内には、プリント基板に実装された点灯回路部品の上方と、ケース本体を閉塞する蓋体との間を区画する仕切体が設けられていることを特徴とする。
【００１７】
請求項５及び請求項６において、仕切体は、合成樹脂製で板状で形成してもよく、また、フィルム状のもので形成してもよい。
【００１８】
請求項７に記載の放電灯点灯装置は、請求項１乃至請求項６いずれか一に記載の放電灯点灯装置において、充填材は、複数種の充填材により、ケース内に複数の充填層を形成したことを特徴とする。
【００１９】
充填層は、ケース内一面にわたって形成しないで、部分的に形成してもよい。例えば、特定の部品の周囲と他の部分とによって異なる種類の充填材を用い、これにより複数の充填層として形成してもよい。
【００２０】
請求項８に記載の照明器具は、請求項１乃至請求項７いずれか一に記載の放電灯点灯装置と、放電灯点灯装置により点灯される放電ランプと、放電ランプが配設された器具本体とを具備したことを特徴とする。
【発明の効果】
【００２１】
本発明によれば、横長のケースにおいて、横置きで絶縁性充填材を注入できるとともに、安定的に充填材硬化状態まで保管でき、かつ充填材を少なくすることが可能である放電灯点灯装置及び照明器具を提供することができる。
【発明を実施するための最良の形態】
【００２２】
本発明の放電灯点灯装置及び照明器具の一実施形態を図を参照して説明する。まず、第１の実施形態において、図１乃至図３は放電灯点灯装置１を示し、図１は分解斜視図、図２は蓋体を取外して示す縦断面図、図３は組立てた状態を示す斜視図である。図１において、放電灯点灯装置１は、ケース本体２と、このケース本体２の上面を閉塞する蓋体３と、ケース本体２の両側面を閉塞する端板４とから構成されるケース５と、ケース５内に設けられたプリント基板６及びケース５内に充填された絶縁性の充填材７とからなっている。
【００２３】
ケース本体２は、略断面コ字状をなし、アルミニウム等の金属材料で押し出し成形されたものである。ケース５は、全体形状が横長であり、長手方向上面及び両側面が開放しており、それぞれ上面開口２ａ、側面開口２ｂを形成している。また、上部端面に長手方向に沿って凹溝２ｃが形成されているとともに、外周面に長手方向に沿って複数の放熱フィン２ｄが形成されている。さらに、内周面両側には、プリント基板６を支持するための支持部としての凹溝２ｅが形成されている。
【００２４】
プリント基板６は、基板に実装された放電ランプを高周波点灯させる点灯回路部品６ａ等を備えて構成されている。点灯回路部品６ａは、例えば、電界効果トランジスタ、ダイオード、全波整流器、平滑用コンデンサ、共振用コンデンサ、共振用インダクタ等の電子部品である。また、プリント基板６は、長方形状の例えば、ガラスエポキシ材やポリブチレンテレフタレート（ＰＢＴ）材等からなり、ケース本体２の内面に設けられた凹溝２ｅに挿入されている。凹溝２ｅの両端部は、ケース本体２の側面開口２ｂに臨んで開口している。プリント基板６は、ケース本体２の側面開口２ｂのいずれか一方側から凹溝２ｅに挿入され、ケース本体２に支持される。
【００２５】
また、プリント基板６の複数箇所には、後述する絶縁性の充填材７がプリント基板６の下方へ流れ込むのを容易にする充填材通過手段として、貫通孔が形成されている（図示は省略する。）。
【００２６】
ケース５の両側を閉塞する端板４は、アルミニウム製であり、ケース５の略断面外形の形状、大きさに形成され、その外周近傍には、複数の取付けねじ貫通孔４ａが形成されている。端板４内側には、防水パッキン８が設けられる。防水パッキン８は、端板４と略同一の形状をなし、端板４と同様な位置にねじ貫通孔８ａが形成されている。防水パッキン８は、端板４をケース本体２の両側面開口２ｂを閉塞するように取付けたとき、同時に両側面開口２ｂに密着して取付けられる。
【００２７】
ケース本体２の両側面開口２ｂの端面には、ねじ部２ｆが複数設けられており、ねじ９が端板４に形成された複数の取付けねじ貫通孔４ａをそれぞれ挿通し、続いて、防水パッキン８のねじ貫通孔８ａを貫通して、ねじ部２ｆに螺着される。これにより、ケース本体２の両側面開口２ｂは、密閉閉塞されることとなる。
【００２８】
蓋体３は、断面略円弧状に形成され、両側下端部にケース５の凹溝２ｃに嵌入される凸部３ａが長手方向に沿って形成されている。
【００２９】
そして、ケース本体２の凹溝２ｃに蓋体３の凸部３ａが嵌入すると、ケース本体２及び蓋体３は一体化される。このとき、凹溝２ｃ及び凸部３ａの部分からケース５内に雨水や湿気が侵入しないように、凹溝２ｃ及び凸部３ａの間が隙間なく形成されている。したがって、ケース本体２の上面開口２ａは、密閉閉塞されることになる。そして、ケース本体２の外面及び内面、蓋体３の外面及び内面は、それぞれ防錆のためのアルマイト（耐蝕性酸化被膜）処理が施されている。
【００３０】
なお、端板４及び防水パッキン８には、リード線等の挿通孔１０が形成されている。
【００３１】
さらに、ケース５の密閉性を高めるため、ケース本体２、蓋体３、端板４の境目に目張り材として塗料を塗布してもよい。
【００３２】
図２に示すように、ケース５内には、絶縁性の充填材７、例えば、シリコーン系樹脂が充填されている。この充填材７は、プリント基板６、プリント基板６に実装された点灯回路部品６ａ全てを覆うレベルまで充填されている。つまり、１番背の高い部品が隠れるレベルまで充填材７が注入されている。しかし、ケース５の上端部まで一杯には充填されないで、上部に空間１１を残している状態である。つまり、ケース本体２の高さ寸法は、１番背の高い部品よりも高くして構成されている。
【００３３】
次に、ケース５内に絶縁性の充填材７を充填する方法について概要を説明する。ケース本体２にプリント基板６が設置され、ケース５の上面を開放した状態で、ケース５を横置きにし、上面開口２ａから絶縁性の充填材７、例えば、シリコーン系樹脂を注入する。上からプリント基板６表面に向かって注入された充填材は、プリント基板６の充填材通過手段としての貫通孔を通過して、プリント基板６下側へ流れ込むこととなる。
【００３４】
そして、充填材７の注入量は、点灯回路部品６ａが全て充填材７で覆われるレベルまでとする。注入終了後は、ケース５の上面を蓋体３で閉塞し、充填材７が硬化し、安定するまでの所要時間放置し、保管する。
【００３５】
本実施形態によれば、ケースを横置きの状態で、絶縁性の充填物を注入でき、充填材が硬化するまでの所要時間、安定的に保管できる。また、ケース本体の上面開口は、比較的領域が広いので充填材を注入するに際し、作業性が良好となる。
【００３６】
さらに、ケース本体は、アルミニウム等の金属材料で押し出し成形により、形成されるので、製作容易であり、プレス板を組合せてケースを構成する場合に比し、密閉性も高まる。
【００３７】
さらにまた、プリント基板を含んだ点灯回路部品が全て充填材で覆われる、すなわち、点灯回路部品は充填材に埋没し、表面に露出することがないので、ケースの密閉性と相俟って、絶縁性に優れた放電灯点灯装置を提供できる。特に、屋外で使用する照明器具に適用する場合は、好適である。
【００３８】
また、充填材は、全ての点灯回路部品を覆うものの、充填材をケース高さ一杯まで充填しなくても済むため、充填材の使用量を削減することが可能となる。
【００３９】
なお、本実施形態では、点灯回路部品６ａ全てを覆うレベルまで充填材７を注入し、点灯回路部品６ａが充填材７に埋没する場合について説明したが、本発明は、例えば、回路部品によっては、上部は充填材７に覆われないような場合、すなわち、回路部品の頭が一部充填材７に覆われないで、空間１１に突出するような形態であってもよい。
【００４０】
次に、本発明の第２の実施形態について説明する。なお、上述の実施形態と同一又は相当部分には同一符号を付し、その詳細な説明は省略する。
【００４１】
図４及び図５は放電灯点灯装置１を示し、図４は分解斜視図、図５は蓋体を取外して示す縦断面図である。上述の実施形態と異なるのは、本実施形態においては、プリント基板６下方とケース本体２下面との間の空間を区画する仕切体として仕切板２０を設けた点である。
【００４２】
仕切板２０は、長方形状で孔等が形成されない中実体であり、例えば、ポリブチレンテレフタレート（ＰＢＴ）材等からなり、ケース本体２の内面に設けられた凹溝２ｇに挿入され設置されている。
【００４３】
図５に示すように、プリント基板６の裏側へ流れ込んだ充填材７は、プリント基板６下方の空間を区画する仕切板２０によって堰きとめられ、仕切板２０下方１２に流れることはない。
【００４４】
本実施形態によれば、上述の実施形態の効果に加え、仕切板によって、充填材の使用量を少なくすることができる。放電灯点灯装置の製品種別によって、プリント基板、実装される点灯回路部品が異なる場合があるが、製品種別にかかわらず、ケースを共通にする場合、効果的である。つまり、プリント基板の裏側に実装される点灯回路部品が通常の製品よりも、背の低いものである場合には、プリント基板下方は余剰スペースとなってしまうこととなる。これに対し、仕切板を設けることにより、余剰スペースを小さくでき、充填材を削減できる。
【００４５】
次に、本発明の第３の実施形態について説明する。絶縁性の充填材を複数種設けた実施形態である。図６は、放電灯点灯装置１の横断面図を示す。充填材は、プリント基板６及びプリント基板６に実装された点灯回路部品６ａ周りの第１の充填材７ａと、それ以外の部分に配設された第２の充填材７ｂとの２種類の充填材が用いられ、各充填層を形成している。
【００４６】
第１の充填材７ａとしては、ウレタン系樹脂やシリコーン系樹脂が用いられ、第２の充填材７ｂとしてはポリエステル系樹脂やピッチコンパウンド系樹脂が用いられる。これは、点灯回路部品６ａ周りには、放熱性、防水性に優れ、かつ部品にストレスがかかった場合、吸収できる硬度が低い特性が求められるからである。しかし、これらの材料は、一般的には、高価であるため、必要最小限とし、第２の充填材７ｂとして、比較的安価な材料を選定したものである。
【００４７】
本実施形態によれば、上述の各実施形態の効果に加え、安価な放電灯点灯装置を得ることができる。
【００４８】
なお、本実施形態において、例えば、プリント基板の表側に発熱量の大なる部品が多く設けられている場合は、これに対応してプリント基板の表裏を境として、充填材の種類を変えてもよい。要するに、目的に応じて、種々の充填材を選定し、組合せればよい。
【００４９】
次に、本発明の第４の実施形態について、図７を参照して説明する。図７は放電灯点灯装置の概略側面図を示す。
【００５０】
本実施形態では、主に、充填材の注入に関し、点灯回路部品の背の高さとケース本体の立上がり壁との関係を説明するものである。なお、上述の実施形態とは、プリント基板の取付け位置、蓋体の構成等、若干異なる構成を採用しているが、上述の実施形態と同一又は相当部分には同一符号を付し、その詳細な説明は省略する。
【００５１】
まず、断面略コ字状のケース本体２は、底部壁２Ａと、この底部壁２Ａ両側から起立する立上がり壁２Ｂとから構成されている。プリント基板６には、電界効果トランジスタ、ダイオード、平滑用コンデンサ、共振用インダクタ等の点灯回路部品６ａが実装されている。
【００５２】
そして、プリント基板６に実装される点灯回路部品６ａは、その背の高さが種々異なるが、１番背の高い部品よりもケース本体２の両立上がり壁２Ｂの上端が高くなるように構成されている。
【００５３】
このような構成により、仮想線Ａで図示するように充填材を１番背の高い点灯回路部品６ａを覆うレベルまで注入しても充填材がケース本体２から外部に溢れ出ることがない。
【００５４】
以上のように、本実施形態によれば、ケース本体２の両立上がり壁２Ｂと点灯回路部品６ａとの高さ寸法を考慮し、構成したので、充填材で確実に点灯回路部品６ａを覆うことができる。
【００５５】
次に、本発明の第５の実施形態について、図８を参照して説明する。図８は放電灯点灯装置の概略側面図を示す。
【００５６】
本実施形態では、プリント基板６に実装された点灯回路部品６ａとケース本体２を閉塞する蓋体３との間を区画する仕切体を設けることを特徴とする。なお、同様に上述の実施形態と同一又は相当部分には同一符号を付し、その詳細な説明は省略する。
【００５７】
まず、プリント基板６には、点灯回路部品６ａが実装されており、第２の実施形態において説明したのと同様に、プリント基板６下方とケース本体２との間の空間を区画する仕切体２０が設けられている。
【００５８】
また、点灯回路部品６ａのうち、１番背の高い部品と蓋体３内面との空間に、この空間を区画する仕切体としての仕切板２１がケース本体２内面に形成された凹溝２ｈに挿入されて設けられている。この仕切板２１は、図示しない充填材注入口を有しているが、この点を除き、前記下方の仕切板２０と略同様な構成をなしている。
【００５９】
そして、ケース本体２の内面両側には複数の凹溝２ｈが形成されており、これは仕切板２１のガイドレール的役目をなし、点灯回路部品６ａの高さに応じて仕切板２１の位置を変えることができ、すなわち、点灯回路部品６ａの高さに応じて仕切板２１を挿入する凹溝２ｈを選択することにより、仕切板２１を適切な位置に設置することができる。因みに、本実施形態では、凹溝２ｈは５対形成されているので、５段階の位置選択が可能である。
【００６０】
なお、充填材７の注入口は、仕切板２１に直接形成せずに、仕切板２１とケース本体２との間に隙間を設けて形成してもよい。
【００６１】
さらにまた、下方の仕切板２０もプリント基板６の裏側に実装される点灯回路部品６ａの高さに応じて、設置位置を選択できるようケース本体２内面に複数の凹溝を形成してもよい。
【００６２】
以上のように、本実施形態によれば、充填材７の注入により、充填材７が点灯回路部品６ａを覆うこととなる一方、プリント基板６裏側に流れ込んだ充填材７は仕切板２０によって堰きとめられ、仕切板２０下方に流れることはない。
【００６３】
また、上方の仕切板２１により充填材７の過剰な注入は防止され、充填材７の使用量を少なくでき、経済的な効果を達成できる。さらに、充填材７の使用量を少なくできることから、製品の重量を軽くすることもできる。
【００６４】
次に、本発明の第６の実施形態について、図９乃至図１３を参照して説明する。なお、上述の実施形態と同一又は相当部分には同一符号を付し、その詳細な説明は省略する。
【００６５】
図９は、点灯回路部品としての電解コンデンサを示す斜視図である。この電解コンデンサ６０は、筒状のアルミニウムケース６０ａにコンデンサ素子を内蔵して構成されている。ケース６０ａの上部には、一般的に知られている防爆弁６０ｂを有し、下部には電極リード６０ｃを備えている。電解コンデンサ６０は、過電圧、過電流等の外部要因やコンデンサ自体の故障で内部圧力が上昇し、ケース６０ａが破裂することがあるが、この衝撃を軽減するため、前記防爆弁６０ｂが設けられている。
【００６６】
ところで、このような電解コンデンサ６０を放電灯点灯装置の点灯回路部品として用いた場合、電解コンデンサ６０をプリント基板６に実装し、図２に示すように、充填材７で、プリント基板６、電解コンデンサ６０を含んだ点灯回路部品６ａを全て覆うレベルまで充填してしまうと、防爆弁６０ｂに充填材が接触し密封されて、防爆弁６０ｂが所望に開放動作を行わない恐れがある。
【００６７】
そこで、本実施形態では、点灯回路部品６ａを充填材７で覆うものの、防爆弁６０ｂが正常に開放動作するよう電解コンデンサ６０の少なくとも防爆弁６０ｂに対応する部分には所定の空間を設けたものである。
【００６８】
まず、第１の実施例を図１０を参照して説明する。図１０は、放電灯点灯装置において、蓋体を取外して示す縦断面図である。図において、電解コンデンサ６０がプリント基板６に実装されている。この電解コンデンサ６０の上部には所定の空間６１を存在させて、絶縁性を有する合成樹脂製キャップ状のカバー６０ｄが取付けられている。
【００６９】
すなわち、コンデンサ６０の防爆弁６０ｂに対応して空間が設けられることとなる。したがって、電解コンデンサ６０は、充填材７で覆われるものの、防爆弁６０ｂに対応して空間６１が残されることになる。
【００７０】
次に、第２の実施例を図１１を参照して説明する。図１０において説明した第１の実施例と異なるのは、電解コンデンサ６０の上部のみならず、全体をカバー６０ｄで覆った点である。本実施例においても防爆弁６０ｂに対応して空間６１が設けられるので、電解コンデンサ６０は、充填材７で覆われるものの、防爆弁６０ｂに対応して空間６１が残されることとなる。
【００７１】
次に、第３の実施例を図１２を参照して説明する。図１２は、電解コンデンサ６０の実装状態を取出して示す一部縦断面図である。本実施例においては、電解コンデンサ６０の周囲を上部開放の筒状カバー６０ｄで覆った形態を示している。本実施例においても電解コンデンサ６０の上部が開放し、防爆弁６０ｂに対応した空間６１が設けられる。
【００７２】
次に、第４の実施例を図１３を参照して説明する。図１３は、電解コンデンサ６０の実装状態を取出して示す一部縦断面図である。本実施例においては、電解コンデンサ６０の防爆弁６０ｂの部分、すなわち、コンデンサ６０の頭部を残して充填材７を充填したものである。そして、他の点灯回路部品は、この電解コンデンサ６０より背の低い部品が用いられ、充填材７によって覆われるようになっている。
【００７３】
この場合、他の点灯回路部品は、背が低く、充填材７に全て覆われることが好ましいが、本実施例では、他の点灯回路部品のうち、その一部の部品においては、電解コンデンサ６０よりも背が高く、部品の頭が充填材７に覆われないで、突出するような形態も許容する。
【００７４】
以上のように、本実施例においても、防爆弁６０ｂに対応して空間６１が設けられることとなる。
【００７５】
なお、各実施例において、電解コンデンサの防爆弁の位置は、コンデンサ上部に限らない。コンデンサの下部に防爆弁が設けられている場合には、その防爆弁に対応して空間が存在していればよい。
【００７６】
よって、本実施形態によれば、充填材は実装された点灯回路部品のうち、電解コンデンサの防爆弁に対応する空間を残して覆ったので、防爆弁の正常な動作を確保することができる。
【００７７】
次に、本発明の第７の実施形態について、図１４を参照して説明する。図１４は放電灯点灯装置の分解斜視図である。
【００７８】
本実施形態においては、ケース本体の上面を閉塞する蓋体とケースの両側を閉塞する端板とを一体的に構成したものである。なお、上述の実施形態と同一又は相当部分には同一符号を付し、その詳細な説明は省略する。
【００７９】
図１４において、放電灯点灯装置は、ケース本体２と、このケース本体２の上面及び両側を閉塞する蓋体３とから構成されるケース５と、ケース５内に設けられたプリント基板６及びケース５内に充填される絶縁性の充填材から構成される。ケース本体２、蓋体３は、共にアルミニウム等の金属製である。
【００８０】
蓋体３は、ケース本体２上面を閉塞する上蓋部３Ａと、ケース本体２の両側を閉塞する端板部３Ｂとから構成されており、端板部３Ｂは、ケースの略断面外形の形状、大きさに形成され、ケース本体２に取付けるためのねじ貫通孔４ａが形成されている。
【００８１】
端板部３Ｂは、上蓋部３Ａの側部に溶接等により固着されて一体化されている。なお、上蓋部３Ａと端板部３Ｂとは鋳造等により一体的に成形してもよい。
【００８２】
なお、１５は、ケース本体２の両側を蓋体３の端板部３Ｂに先立って閉塞する内側端板である。この内側端板１５は、絶縁耐熱性のプラスチック材で形成されており、蓋体３の端板部３Ｂと同様にケースの略断面形状に沿った形状で、ねじ貫通孔１５ａが形成されている。
【００８３】
次に、この放電灯点灯装置の組立工程について説明する。まず、ケース本体２に内側端板１５をねじにより取付ける。この状態でケース本体２の上部開口から充填材を注入する。この場合、内側端板１５は、充填材がケース本体２側部から流れ出ないようにする堰たる役目をなす。続いて、ケース本体２に蓋体３を取付けるが、蓋体３の上蓋部３Ａでケース本体２上部開口を閉塞し、蓋体３の端板部３Ｂで内側端板１５に重ねて両側を閉塞することとなる。このとき、内側端板１５は、プラスチック材であり、所定の弾性を有することから、蓋体３の端板部３Ｂのパッキンたる役目をなす。その後は、充填材が硬化し安定するまで保管する。
【００８４】
以上のように、本実施形態によれば、蓋体３において、ケース本体２上面を閉塞する上蓋部３Ａとケース本体２の両側を閉塞する端板部３Ｂとを一体的に構成したので、組立工程が簡素化できる。
【００８５】
また、内側端板１５は、プラスチック材で構成したので充填材の流出を防ぐ堰たる機能とパッキンたる機能を併せもたせることができ、効果的な機能を発揮し得る。
【００８６】
なお、加えて、第１の実施形態における防水パッキンの材質は問わないが、本実施形態のようにプラスチック材を用いてもよい。
【００８７】
以上の各実施形態においては、プリント基板をケース本体の凹溝に挿入して支持する場合について説明したが、支持部を端板に設け、プリント基板を支持するようにしてもよい。
【００８８】
また、充填材通過手段として、プリント基板に貫通孔を形成したものについて説明したが、充填材通過手段としては、プリント基板と端板との間に隙間ができるように構成し、この隙間によって、充填材がプリント基板下側に流れ込むようにしてもよい。
【００８９】
次に、本発明の照明器具の一実施形態について説明する。
【００９０】
図１５は、照明器具として街路灯３０を示す斜視図である。本体３１は、下面を開口する略箱状に形成されており、放電ランプとしての高圧放電ランプ及び反射板等を配設している。段付ポール３２は、地中３３に一部埋設されたコンクリート基礎３４に立設されている。そして、段付ポールには、放電灯点灯装置１が収容されている。
【００９１】
放電灯点灯装置１は、絶縁性に優れ、防水形に形成されているので、雨水や湿気が放電灯点灯装置１が収容されている段付ポールに侵入しても、ケース内に水分や湿気が浸入することが防止される。
【図面の簡単な説明】
【００９２】
【図１】本発明の放電灯点灯装置の第１の実施形態を示す分解斜視図である。
【図２】同縦断面図である。
【図３】同組立て状態の斜視図である。
【図４】本発明の放電灯点灯装置の第２の実施形態を示す分解斜視図である。
【図５】同縦断面図である。
【図６】本発明の放電灯点灯装置の第３の実施形態を示す横断面図である。
【図７】同第４の実施形態を示す概略側面図である。
【図８】同第５の実施形態を示す概略側面図である。
【図９】電解コンデンサを示す斜視図である。
【図１０】本発明の放電灯点灯装置の第６の実施形態を示す縦断面図である。
【図１１】同縦断面図である。
【図１２】同一部縦断面図である。
【図１３】同一部縦断面図である。
【図１４】同第７の実施形態を示す分解斜視図である。
【図１５】本発明の照明器具の実施形態を示す斜視図である。
【符号の説明】
【００９３】
１          放電灯点灯装置
２          ケース本体
２Ｂ        立上がり壁
２ｅ        支持部
３          蓋体
４          端板
５          ケース
６          プリント基板
６ａ        点灯回路部品
７          充填材
２０、２１  仕切体
３０        照明器具
６０        電解コンデンサ
６０ｂ      防爆弁
６１        空間  
【図１】
2008108683.tif 000003
【図２】
2008108683.tif 000004
【図３】
2008108683.tif 000005
【図４】
2008108683.tif 000006
【図５】
2008108683.tif 000007
【図６】
2008108683.tif 000008
【図７】
2008108683.tif 000009
【図８】
2008108683.tif 000010
【図９】
2008108683.tif 000011
【図１０】
2008108683.tif 000012
【図１１】
2008108683.tif 000013
【図１２】
2008108683.tif 000014
【図１３】
2008108683.tif 000015
【図１４】
2008108683.tif 000016
【図１５】
2008108683.tif 000017